(57)【要約】【課題】上箱ケースと底ケースとからなる２ピース構造の梱包箱において、糊付けを不要とし、底ケースの組立および解体を簡単に行えるようにする。【解決手段】底ケース１は、矩形状の底板１１と、底板１１の長手方向両辺に形成された一対の長辺側板１２と、底板１１の短手方向両辺に形成された一対の短辺側板１３とがそれぞれ曲折されてトレイ形状をなし、短辺側板１３の突起片１３２が長辺側板１２の係合部１２６′に係止される。この係合部１２６′は、長辺側板１２の長手方向に延長して形成された第２の耳片１２６の側方片１２６ｂを曲折して重ね合わせた曲折端部を切り欠いて形成される。長辺側板１２および短辺側板１３を曲折する際に、短辺側板１３を第２の耳片１２６の重ね合わせ部Ｓに挿し込むことにより、短辺側板１３の突起片１３２が第２の耳片１２６の切り欠き１２７に係合して係止される。【選択図】図４
2013170004.tif 000002
【特許請求の範囲】
【請求項１】
収納物品を載せる底ケースと、該底ケースに被せる上箱ケースとを有し、前記底ケースと前記上箱ケースとが結合されてなる梱包箱であって、
前記底ケースは、矩形状の底板と、該底板の長手方向両辺に延設して形成された一対の長辺側板と、前記底板の短手方向両辺に延設して形成された一対の短辺側板とがそれぞれ曲折され、該曲折された短辺側板の上端部に形成された突起片が前記曲折された長辺側板の上端部に形成された係合部に係止されてトレイ形状をなし、
前記長辺側板の係合部は、前記延設して形成された長辺側板の長手方向に延長して形成された耳片の側方片を曲折して重ね合わせた曲折端部を切り欠いて形成され、
前記長辺側板および前記短辺側板を曲折する際に、該短辺側板を前記耳片の重ね合わせ部に挿し込むことにより、前記短辺側板の突起片が前記耳片の切り欠きに係合して係止されることを特徴とする梱包箱。
【請求項２】
請求項１に記載の梱包箱において、前記長辺側板の曲折端部に形成された切り欠きは、前記曲折端部に設けられた切り込みを境に、該曲折端部の壁面をずらすことにより、断面逆Ｖ字状に形成されていることを特徴とする梱包箱。
【請求項３】
請求項１または２に記載の梱包箱において、前記長辺側板の曲折端部近傍は、該長辺側板の短手方向に延長して形成された別の耳片を曲折して２重構造をなし、前記長辺側板の曲折端部近傍と前記上箱ケースとが重なり合う部分に挿通孔がそれぞれ設けられ、該挿通孔にジョイント部材が挿通されることを特徴とする梱包箱。
【請求項４】
請求項１〜３のいずれか１項に記載の梱包箱において、前記底ケースの短辺側板の幅は中央に向かって漸次小さくなっていることを特徴とする梱包箱。
【請求項５】
請求項１〜４のいずれか１項に記載の梱包箱において、前記底ケースは、一枚の段ボールを折り曲げて形成されていることを特徴とする梱包箱。
【発明の詳細な説明】
【技術分野】
【０００１】
本発明は、梱包箱に関し、より詳細には、液晶テレビなどの物品を梱包するのに適した２ピース構造の梱包箱に関する。
【背景技術】
【０００２】
従来、物品を破損することなく、安全に輸送するための梱包箱に関して種々の技術が提案されている。例えば、特許文献１には、一枚の段ボールから、一対の角筒状受及び振止板を備えた緩衝材が折り上がるようにしたものが開示されている。この段ボールは、一対の側板及び一対の端板により周壁を構成し、側板の下縁に角筒状受を構成する、下板、第一支持板、受板、第二支持板、補助板を夫々折目を介して順次連設した形態を備えており、上縁には、振止板を夫々連設し、振止板を内側に折り曲げることで、Ｖ字状の空間を形成し、振止板、側板に、所定間隔を隔て、薄板状の梱包物を挿入するための複数の切込を設けている。
【０００３】
また、特許文献２には、一方の側板に連接された差込み片にロック片を連設し、ロック片及び差込み片を他方の側板に形成した差込み穴に差し込み、差込み穴を貫通したロック片の角度を変えてロックするようにした段ボール構造体が記載されている。
【０００４】
また、液晶テレビなどの薄くて比較的大きな物品を梱包するのに敵した２ピース構造の梱包箱が知られている。図１３に示すように、２ピース構造の梱包箱は、トレイ形状の底ケース２０１と、底ケース２０１に被せる上箱ケース２０２とで構成される。この梱包箱に液晶テレビを梱包する場合、底ケース２０１には、下部緩衝材２０３、液晶テレビ（液晶ディスプレイ）２０４の順にセットされた後、上箱ケース２０２が被せられ、さらに、上部緩衝材２０５がセットされる。そして、底ケース２０１と上箱ケース２０２とがジョイント部材２０６により結合され、液晶テレビ梱包後の梱包箱２００とされる。
【０００５】
図１４は、従来の梱包箱を構成する底ケース２０１の組立工程を説明するための図である。図１４（Ａ）は底ケース２０１を展開した状態を示す。底ケース２０１は、矩形状の底板２０２と、底板２０２の長手方向両辺に形成された一対の長辺側板２０３と、底板２０２の短手方向両辺に形成された一対の短辺側板２０４とを有する。また、一対の長辺側板２０３の左右両端にはそれぞれ耳片２０３ａ，２０３ｂが連設されている。そして、図１４（Ｂ）に示すように、底板２０２に対して一対の長辺側板２０３を起立させ、各長辺側板２０３の耳片２０３ａ，２０３ｂを夫々内側に９０°折り込む。
【０００６】
耳片２０３ａ,２０３ｂの短辺側板２０４側の面には接着用の糊剤が塗布されており、図１４（Ｃ）に示すように、底板２０２に対して短辺側板２０４を起立させ、短辺側板２０４の内側の面と、耳片２０３ａ，２０３ｂの糊付け面とを合わせて接着させることで短辺側板２０４′が形成され、底ケース２０１はトレイ形状とされる。
【先行技術文献】
【特許文献】
【０００７】
【特許文献１】特開２００６−３４７５８８号公報
【特許文献２】特開平９−２５４９６３号公報
【発明の概要】
【発明が解決しようとする課題】
【０００８】
上記の図１４に示した従来の梱包箱の場合、糊付けにより底ケースをトレイ形状にしている。しかしながら、液晶テレビ等の物品の製造メーカでは、通常、作業スペース等の関係で、底ケースの糊付け作業を行っておらず、梱包箱の仕入先から糊付けによりトレイ形状とされた状態の底ケースを納入するようにしている。このため輸送費が高くコストアップの要因となっていた。また、梱包箱が不要となった場合には、底ケースを解体する必要があるが、底ケースは糊付けされているため、解体が困難であり、廃棄性にも問題があった。
【０００９】
本発明は、上述のような実情に鑑みてなされたもので、上箱ケースと底ケースとからなる２ピース構造の梱包箱において、底ケースの強度を確保しながら、糊付けを不要とし、底ケースの組立および解体を簡単に行えるようにすることを目的とする。
【課題を解決するための手段】
【００１０】
上記課題を解決するために、本発明の第１の技術手段は、収納物品を載せる底ケースと、該底ケースに被せる上箱ケースとを有し、前記底ケースと前記上箱ケースとが結合されてなる梱包箱であって、前記底ケースは、矩形状の底板と、該底板の長手方向両辺に延設して形成された一対の長辺側板と、前記底板の短手方向両辺に延設して形成された一対の短辺側板とがそれぞれ曲折され、該曲折された短辺側板の上端部に形成された突起片が前記曲折された長辺側板の上端部に形成された係合部に係止されてトレイ形状をなし、前記長辺側板の係合部は、前記延設して形成された長辺側板の長手方向に延長して形成された耳片の側方片を曲折して重ね合わせた曲折端部を切り欠いて形成され、前記長辺側板および前記短辺側板を曲折する際に、該短辺側板を前記耳片の重ね合わせ部に挿し込むことにより、前記短辺側板の突起片が前記耳片の切り欠きに係合して係止されることを特徴としたものである。
【００１１】
第２の技術手段は、第１の技術手段において、前記長辺側板の曲折端部に形成された切り欠きは、前記曲折端部に設けられた切り込みを境に、該曲折端部の壁面をずらすことにより、断面逆Ｖ字状に形成されていることを特徴としたものである。
【００１２】
第３の技術手段は、第１または第２の技術手段において、前記長辺側板の曲折端部近傍は、該長辺側板の短手方向に延長して形成された別の耳片を曲折して２重構造をなし、前記長辺側板の曲折端部近傍と前記上箱ケースとが重なり合う部分に挿通孔がそれぞれ設けられ、該挿通孔にジョイント部材が挿通されることを特徴としたものである。
【００１３】
第４の技術手段は、第１〜第３のいずれか１の技術手段において、前記底ケースの短辺側板の幅は中央に向かって漸次小さくなっていることを特徴としたものである。
【００１４】
第５の技術手段は、第１〜第４のいずれか１の技術手段において、前記底ケースは、一枚の段ボールを折り曲げて形成されていることを特徴としたものである。
【発明の効果】
【００１５】
本発明によれば、上箱ケースと底ケースとからなる２ピース構造の梱包箱において、底ケースの組立に糊付けを不要としたため、底ケースの組立および解体を簡単に行うことができ、輸送費のコストダウンを図り、廃棄性も向上させることができる。
【図面の簡単な説明】
【００１６】
【図１】本発明の第１の実施形態に係る梱包箱に物品を梱包する際の手順の一例を説明するための図である。
【図２】第１の実施形態に係る底ケースを展開した状態の一例を示す図である。
【図３】第１の実施形態に係る底ケースの組立手順の一例を説明するための図である。
【図４】第１の実施形態に係る底ケースの要部構成の一例を説明するための図である。
【図５】係合部を構成する収容部およびロック部による係止構造の一例について説明するための図である。
【図６】底ケースの展開状態および組立状態の一例を示す図である。
【図７】第１の実施形態に係る底ケースに上箱ケースを被せる様子を説明するための図である。
【図８】本発明の第２の実施形態に係る梱包箱に物品を梱包する際の手順の一例を説明するための図である。
【図９】第２の実施形態に係る底ケースを展開した状態の一例を示す図である。
【図１０】第３の実施形態に係る底ケースを展開した状態の一例を示す図である。
【図１１】第１の実施形態の係合部と第３の実施形態の係合部とを比較して説明するための図である。
【図１２】係合部を構成する収容部およびロック部による係止構造の一例について説明するための図である。
【図１３】従来の梱包箱に物品を梱包する際の手順の一例を説明するための図である。
【図１４】従来の梱包箱を構成する底ケースの組立工程を説明するための図である。
【発明を実施するための形態】
【００１７】
以下、添付図面を参照しながら、本発明の梱包箱に係る好適な実施の形態について説明する。
【００１８】
（第１の実施形態）
図１は、本発明の第１の実施形態に係る梱包箱に物品を梱包する際の手順の一例を説明するための図である。２ピース構造の梱包箱は、大きく分けて、底ケース１と、上箱ケース２とで構成される。この梱包箱に収納物品の一例として液晶テレビ４を梱包する場合、底ケース１には、下部緩衝材３、液晶テレビ（液晶ディスプレイ）４の順にセットされた後、上箱ケース２が被せられ、さらに、上部緩衝材５がセットされる。そして、底ケース１と上箱ケース２とがジョイント部材６により結合され、液晶テレビ梱包後の梱包箱１０とされる。
【００１９】
本実施形態に係る梱包箱は、収納物品を載せるトレイ形状の底ケース１と、底ケース１に被せる上箱ケース２とを有し、底ケース１と上箱ケース２とが結合される。底ケース１は、矩形状の底板１１と、底板１１の長手方向両辺に延設して形成された一対の長辺側板１２と、底板１１の短手方向両辺に延設して形成された一対の短辺側板１３とを有し、短辺側板１３の上端部に形成された突起片が長辺側板１２の上端部に形成された係合部に係止される。この係合部は、長辺側板１２の長手方向に延長して形成された耳片の側方片を曲折して重ね合わせた曲折端部（以下、単に端部ともいう）を切り欠いて形成される。長辺側板１２および短辺側板１３を曲折する際に、短辺側板１３を耳片の重ね合わせ部に挿し込むことにより、短辺側板１３の突起片が耳片の切り欠きに係合して係止される。
【００２０】
なお、本実施形態では、底ケース１を構成する一対の長辺側板１２の各端部にそれぞれ係合部（４ヶ所）を形成した形態について示しているが、この係合部の位置について特に限定するものではなく、例えば、後述の第２の実施形態に示すように、一対の長辺側板１２の各端部のうち、底板１１の対角線上に位置する２つの端部にのみ係合部（２ヶ所）を形成するようにしてもよい。
【００２１】
図２は、第１の実施形態に係る底ケース１を展開した状態の一例を示す図である。底ケース１を構成する長辺側板１２の各端部近傍には第１の耳片１２１および第２の耳片１２６が連設されている。なお、ここでは一つの端部の構造についてのみ説明するが、他の端部構造についても同様である。第１の耳片１２１と第２の耳片１２６とは接続部１２２を介して長辺側板１２の端部を囲むように一体的に形成されている。接続部１２２は、拡大図に示すように、予め上に凸の山折り形状にされている。また、接続部１２２、第１の耳片１２１、第２の耳片１２６、および長辺側板１２で囲まれた部分には開口１２３が形成されている。
【００２２】
第１の耳片１２１と長辺側板１２との間には、切り込み１２４が形成されており、第１の耳片１２１を長辺側板１２に対して折り曲げ易くしている。また、第１の耳片１２１を長辺側板１２に対して１８０°折り曲げたときに、第１の耳片１２１の開口１２５ａと、長辺側板１２の開口１２５ｂとが重なり、図１のジョイント部材６を挿通するための挿通孔１２５とされる。
【００２３】
第２の耳片１２６は、長辺側板１２の長手方向に延長された延長片１２６ａと、延長片１２６ａの側方に連設された側方片１２６ｂとからなる。延長片１２６ａは側方片１２６ｂおよび長辺側板１２に連設され、側方片１２６ｂは第１の耳片１２１に接続部１２２を介して連設される。第１の耳片１２１を１８０°折り曲げたときに、これに連動して側方片１２６ｂも延長片１２６ａに対して１８０°折り曲げられる。これにより係合部１２６′が形成される。すなわち、係合部１２６′は、長辺側板１２の長手方向に延長して形成された耳片（第２の耳片１２６に相当）の側方片１２６ｂを曲折して重ね合わせた曲折端部を切り欠いて形成される。この切り欠きは切り欠き１２７に相当する。
【００２４】
底ケース１を組み立てる際の係合部１２６′の具体的な構造については後述の図４、図５において説明するが、係合部１２６′は、短辺側板１３の側端１３１を収容する収容部１２６ｄと、収容部１２６ｄと切り欠き１２７を介して部分的に分離されたロック部１２６ｃとを有する。収容部１２６ｄは、底ケース１を組み立てたときに、断面逆凹形状になるように予め折り線１２９ａ,ｂで所定の形状に折り曲げられている。また、ロック部１２６ｃは、底ケース１を組み立てたときに、断面逆Ｖ字状になるように予め折り線１２８ａ，ｂで所定の形状に折り曲げられている。そして、長辺側板１２および短辺側板１３を曲折する際に、短辺側板１３の側端１３１を第２の耳片１２６の重ね合わせ部（延長片１２６ａと側方片１２６ｂによる重ね合わせ部）に挿し込むことにより、短辺側板１３の突起片１３２が第２の耳片１２６の切り欠き１２７に係合して係止される。なお、切り欠き１２７は、底ケース１を組み立てたときに、長辺側板１２の曲折端部に設けられた切り込みを境に、曲折端部の壁面をずらすことにより、断面逆Ｖ字状に形成されるもので、収容部１２６ｄとロック部１２６ｃとの間に形成される。
【００２５】
上記において、底ケース１は一枚の段ボールを折り曲げて形成されている。このため、組立時の糊付けを不要にし、底ケース１の組立および解体を簡単に行うことができるため、液晶テレビ等の物品の製造メーカでの組立を可能とし、輸送費等のコストの低減を図ると共に、廃棄性を向上させることができる。
【００２６】
図３は、第１の実施形態に係る底ケース１の組立手順の一例を説明するための図である。まず、図２に示したように底ケース１を展開した状態とし（Ｓ１）、長辺側板１２に対して第１の耳片１２１および第２の耳片１２６の側方片１２６ｂを起立させる（Ｓ２）。そして、起立させた第１の耳片１２１および第２の耳片１２６の側方片１２６ｂをさらに折り曲げて、第１の耳片１２１を長辺側板１２に折り返し、第２の耳片１２６の側方片１２６ｂを延長片１２６ａに折り返す。これにより、長辺側板１２の端部にロック部１２６ｃおよび収容部１２６ｄからなる係合部１２６′が形成される（Ｓ３）。
【００２７】
次に、係合部１２６′を長辺側板１２に対して起立させると共に、短辺側板１３を底板１１に対して起立させる（Ｓ４）。そして、係合部１２６′に形成された重ね合わせ部Ｓに短辺側板１３の側端１３１を挿し込む（Ｓ５）。重ね合わせ部Ｓに挿し込まれた短辺側端１３の側端１３１は収容部１２６ｄに収容され、短辺側端１３の突起片１３２がロック部１２６ｃとの間に形成された切り欠き１２７に係合して係止される（Ｓ６）。
【００２８】
以下、上記Ｓ２〜Ｓ６の組立工程を残りの３つの端部についても繰り返し行い（Ｓ７〜Ｓ１０）、最終的にトレイ形状の底ケース１が組み立てられる（Ｓ１１）。
【００２９】
図４は、第１の実施形態に係る底ケース１の要部構成の一例を説明するための図である。図４（Ａ）は、第１の耳片１２１が長辺側板１２に折り返され、第２の耳片１２６の側方片１２６ｂが延長片１２６ａに折り返された状態を示す。これにより長辺側板１２の端部にロック部１２６ｃおよび収容部１２６ｄからなる係合部１２６′が形成される。前述したように、収容部１２６ｄは、短辺側板１３の側端１３１を収容し、ロック部１２６ｃは、収容部１２６ｄと切り欠き１２７を介して部分的に分離されている。そして、ロック部１２６ｃは、図２に示した折り線１２８ａ，ｂで予め折り曲げられており、後述の図５（Ｃ）に示すように断面逆Ｖ字状に形成される。また、収容部１２６ｄは、図２に示した折り線１２９ａ，ｂで予め折り曲げられており、後述の図５（Ｃ）に示すように断面逆凹形状に形成される。
【００３０】
また、第１の耳片１２１および第２の耳片１２６の側方片１２６ｂが折り返されることで、接続部１２２および開口１２３についても第２の耳片１２６の延長片１２６ａ側に折り返される。この接続部１２２は、１８０°折り返されることで、下に凸の形状とされる。これら接続部１２２および開口１２３により、係合部１２６′の長辺側板１２側への折り曲げが容易となる。そして、図４（Ｂ）に示すように、短辺側板１３および係合部１２６′を起立させ、短辺側板１３の側端１３１を係合部１２６′の重ね合わせ部Ｓから挿し込んだときに、短辺側板１３の突起片１３２が開口１２３の位置に配置されるため、短辺側板１３の突起片１３２による干渉を避けることができる。
【００３１】
また、図４（Ｂ）において、短辺側板１３の幅は中央に向かって漸次小さくなっている。本実施形態の場合、短辺側板１３の側端１３１が内側に向けてカーブしており、中央部分の幅が最も小さくなっている。これにより、短辺側板１３の側端１３１が係合部１２６′の収容部１２６ｄに収容されたときに、短辺側板１３の側端１３１と接続部１２２との干渉を避けることができる。
【００３２】
また、前述したように、第１の耳片１２１を長辺側板１２に対して１８０°折り曲げたときに、第１の耳片１２１の開口１２５ａと、長辺側板１２の開口１２５ｂとが重なり、図１のジョイント部材６を挿通するための挿通孔１２５とされる。
【００３３】
このように、係合部１２６′には重ね合わせ部Ｓが形成されており、この重ね合わせ部Ｓに短辺側板１３の側端１３１が挿し込まれる。そして、短辺側板１３の側端１３１は収容部１２６ｄに収容され、短辺側板１３の突起片１３２はロック部１２６ｃとの間に形成された切り欠き１２７で係止される。この切り欠き１２７は、長辺側板１２の曲折端部に設けられた切り込みを境に、曲折端部の壁面をずらすことにより、断面逆Ｖ字状に形成されたもので、収容部１２６ｄとロック部１２６ｃとの間に形成される。具体的な係止構造について下記の図５に基づき説明する。
【００３４】
図５は、係合部１２６′を構成する収容部１２６ｄおよびロック部１２６ｃによる係止構造の一例について説明するための図である。図５（Ａ），（Ｂ）は図４（Ｂ）のＸ方向から見た状態を示す。図５（Ａ）に示すように、係合部１２６′の重ね合わせ部Ｓに対して、短辺側板１３の側端１３１を挿し込むと、図５（Ｂ）に示すように、短辺側板１３の側端１３１が収容部１２６ｄに収容され、短辺側板１３の上端部に形成された突起片１３２がロック部１２６ｃとの間に形成された切り欠き１２７に係合する。図５（Ｂ）のＹＹ断面を図５（Ｃ）に示す。この構造とすることによって、突起片１３２とロック部１２６ｃとの接点が、１点で接する場合に比べて、接点箇所が大きくなり、係合部１２６′の開き変形が起きにくくなる。この構造によりロック部１２６ｃと突起片１３２とを係合したときに十分な強度を確保することができる。
【００３５】
図５（Ｃ）において、断面逆Ｖ字状のロック部１２６ｃは、短辺側板１３と平行な壁面１２６ｃ１と、壁面１２６ｃ１に連設された斜面１２６ｃ２とを有し、短辺側板１３の側端１３１が収容部１２６ｄに収容された状態で短辺側板１３の突起片１３２がロック部１２６ｃとの間に形成された切り欠き１２７に係合する。つまり、短辺側板１３の突起片１３２がロック部１２６ｃの斜面１２６ｃ２により係止される。この係止を解除する場合、ロック部１２６ｃをＺ方向に押すことで、ロック部１２６ｃの斜面１２６ｃ２と短辺側板１３の突起片１３２との係止が解除される。なお、ロック部１２６ｃには折り曲げによる弾性が付与されている。従って、ロック部１２６ｃをＺ方向に押した場合でも弾性により元の位置に戻るため、係止と解除を繰り返し行うことができる。
【００３６】
また、上記において、収容部１２６ｄは、断面逆凹形状をなし、その上端に斜面１２６ｄ１が形成されている。そして、収容部１２６ｄの斜面１２６ｄ１とロック部１２６ｃの斜面１２６ｃ２とは互いに逆向きに形成されていることが望ましい。本実施形態の場合、ロック部１２６ｃの斜面１２６ｃ２が内側に向けて形成され、収容部１２６ｄの斜面１２６ｄ１が外側に向けて形成されている。収容部１２６ｄの上端は上箱ケース２を底ケース１に被せるときに上箱ケース２が接触する箇所であるため、収容部１２６ｄの上端を外向きの斜面にすることで、上箱ケース２の引っ掛かりを防止することができる。
【００３７】
図６は、底ケース１の展開状態および組立状態の一例を示す図である。図６（Ａ）は底ケース１の展開状態を示し、図６（Ｂ）は底ケース１の組立状態を示す。図６（Ａ）に示すように、底ケース１の底板１１と長辺側板１２との間には、切り込み１１１が複数箇所（本例では６箇所）に設けられており、これらの切り込み１１１により、長辺側板１２を底板１１に対して容易に折り曲げることができる。また、前述したように、長辺側板１２と第１の耳片１２１との間には、切り込み１２４が設けられており、この切り込み１２４により、第１の耳片１２１を長辺側板１２に対して容易に折り曲げることができる。
【００３８】
図６（Ｂ）は、図６（Ａ）に示す展開状態にある底ケース１を、図３で説明した組立手順に従って組み立てた状態の底ケース１を示したものである。ここで、長辺側板１２の端部近傍は、長辺側板１２の短手方向に延長して形成された第１の耳片１２１（本発明の別の耳片に相当）を曲折して２重構造とされている。そして、この長辺側板１２の端部近傍には第１の耳片１２１の開口１２５ａと長辺側板１２の開口１２５ｂとが含まれる。これにより第１の耳片１２１の開口１２５ａと長辺側板１２の開口１２５ｂとが重なり、図１のジョイント部材６を挿通するための挿通孔１２５が形成される。
【００３９】
従来の底ケースは、前述の図１４で示したような形状を有しており、例えば、厚さ８ｍｍの１枚の段ボールを用いて糊付けにより形成されていた。そして、底ケースと上箱ケースとを結合するためのジョイント部材についても、この底ケースの厚さに合わせて製造されていた。このため、底ケースの厚さを変更してしまうと、既存のジョイント部材を使用できなくなってしまうという問題がある。そこで本発明では、既存のジョイント部材をそのまま流用できるように、図６（Ｂ）に示すように、底ケース１に形成される挿通孔１２５の周囲部分を二重構造とし、この部分の厚さを従来品と同じにしている。つまり、本例の場合、厚さ４ｍｍの段ボールを２重構造として厚さ８ｍｍとしている。このようにすることで、底ケースの厚さを変更した場合であっても、既存のジョイント部材をそのまま使用することができる。
【００４０】
なお、図１の上箱ケース２の長辺側板側にも、底ケース１の挿通孔１２５に対応する位置に挿通孔が設けられており、底ケース１の挿通孔１２５と上箱ケース２の挿通孔にジョイント部材６が挿通され、底ケース１と上箱ケース２とが結合される。
【００４１】
図７は、第１の実施形態に係る底ケース１に上箱ケース２を被せる様子を説明するための図である。図７（Ａ）に示すように、収容部１２６ｄの上端には斜面１２６ｄ１が形成されている。そして、本例の場合、ロック部１２６ｃの斜面１２６ｃ２が内側に向けて形成され、収容部１２６ｄの斜面１２６ｄ１が外側に向けて形成されている。
【００４２】
上記において、収容部１２６ｄの上端は上箱ケース２を底ケース１に被せるときに上箱ケース２が接触する箇所であるため、図７（Ｂ）に示すように、収容部１２６ｄの上端を平坦な面とした場合、上箱ケース２を被せるときに上箱ケース２が引っ掛かり易い。これに対して、図７（Ｃ）に示すように、収容部１２６ｄの上端を外向きの斜面（斜面１２６ｄ１）にすることで、上箱ケース２の引っ掛かりを防止することができる。
【００４３】
（第２の実施形態）
図８は、本発明の第２の実施形態に係る梱包箱に物品を梱包する際の手順の一例を説明するための図である。２ピース構造の梱包箱は、大きく分けて、底ケース７と、上箱ケース２′とで構成される。この梱包箱に収納物品の一例として液晶テレビ４′を梱包する場合、底ケース７には、下部緩衝材３′、液晶テレビ（液晶ディスプレイ）４′の順にセットされた後、上箱ケース２′が被せられ、さらに、上部緩衝材５′がセットされる。そして、底ケース７と上箱ケース２′とがジョイント部材６′により結合され、液晶テレビ梱包後の梱包箱１０′とされる。
【００４４】
上述の第１の実施形態では、底ケースを構成する一対の長辺側板の各端部にそれぞれ係合部を有する形態について示したが、液晶テレビの形状によっては、底ケースの奥行き方向の厚みを小さくする場合があり、このような場合には各端部に係合部を設けることが困難となる。そこで、本実施形態では、底ケースを構成する一対の長辺側板の各端部のうち、底板の対角線上に位置する２つの端部にのみ係合部を形成するようにした。
【００４５】
本実施形態に係る梱包箱は、収納物品を載せるトレイ形状の底ケース７と、底ケース７に被せる上箱ケース２′とを有し、底ケース７と上箱ケース２′とが結合される。底ケース７は、矩形状の底板７１と、底板７１の長手方向両辺に延設して形成された一対の長辺側板７２と、底板７１の短手方向両辺に延設して形成された一対の短辺側板７３とを有し、底板１１の対角線上に対応する位置において、短辺側板７３の上端部に形成された突起片が、長辺側板７２の上端部に形成された係合部に係止される。この係合部は、長辺側板７２の長手方向に延長して形成された耳片の側方片を曲折して重ね合わせた曲折端部を切り欠いて形成される。長辺側板７２および短辺側板７３を曲折する際に、短辺側板７３を耳片の重ね合わせ部に挿し込むことにより、短辺側板７３の突起片が耳片の切り欠きに係合して係止される。
【００４６】
図９は、第２の実施形態に係る底ケース７を展開した状態の一例を示す図である。基本的な構造は第１の実施形態における底ケース１と同様であるが、底ケース７を構成する長辺側板７２の各端部近傍には第１の耳片７２１および第２の耳片７２６が連設されている。なお、ここでは一方の端部構造についてのみ説明するが、他方の端部構造についても同様である。第１の耳片７２１と第２の耳片７２６とは接続部７２２を介して長辺側板７２の端部を囲むように一体的に形成されている。接続部７２２は、予め上に凸の山折り形状にされている。また、接続部７２２、第１の耳片７２１、第２の耳片７２６、および長辺側板７２で囲まれた部分には開口７２３が形成されている。
【００４７】
第１の耳片７２１と長辺側板７２との間には、切り込み７２４が形成されており、第１の耳片７２１を長辺側板７２に対して折り曲げ易くしている。また、第１の耳片７２１を長辺側板７２に対して１８０°折り曲げたときに、第１の耳片７２１の開口７２５ａと、長辺側板７２の開口７２５ｂとが重なり、図８のジョイント部材６′を挿通するための挿通孔７２５とされる。
【００４８】
第２の耳片７２６は、長辺側板７２の長手方向に延長された延長片７２６ａと、延長片７２６ａの側方に連設された側方片７２６ｂとからなる。延長片７２６ａは側方片７２６ｂおよび長辺側板７２に連設され、側方片７２６ｂは第１の耳片７２１に接続部７２２を介して連設される。第１の耳片７２１を１８０°折り曲げたときに、これに連動して側方片７２６ｂも延長片７２６ａに対して１８０°折り曲げられる。これにより係合部７２６′が形成される。すなわち、係合部７２６′は、長辺側板７２の長手方向に延長して形成された耳片（第２の耳片７２６に相当）の側方片７２６ｂを曲折して重ね合わせた曲折端部を切り欠いて形成される。この切り欠きは切り欠き７２７に相当する。
【００４９】
底ケース７を組み立てる際の係合部７２６′の基本的な構造は、第１の実施形態で説明した係合部１２６′と同様であるが、係合部７２６′は、短辺側板７３の側端７３１を収容する収容部７２６ｄと、収容部７２６ｄと切り欠き７２７を介して部分的に分離されたロック部７２６ｃとを有する。収容部７２６ｄは、底ケース７を組み立てたときに、断面逆凹形状になるように予め折り線７２９ａ,ｂで所定の形状に折り曲げられている。また、ロック部７２６ｃは、底ケース７を組み立てたときに、断面逆Ｖ字状になるように予め折り線７２８ａ，ｂで所定の形状に折り曲げられている。そして、長辺側板７２および短辺側板７３を曲折する際に、短辺側板７３の側端７３１を第２の耳片７２６の重ね合わせ部（延長片７２６ａと側方片７２６ｂによる重ね合わせ部）に挿し込むことにより、短辺側板７３の突起片７３２が第２の耳片７２６の切り欠き７２７に係合して係止される。
【００５０】
上記において、底ケース７は一枚の段ボールを折り曲げて形成されている。このため、組立時の糊付けを不要にし、底ケース７の組立および解体を簡単に行うことができるため、液晶テレビ等の物品の製造メーカでの組立を可能とし、輸送費等のコストの低減を図ると共に、廃棄性を向上させることができる。そしてさらに、液晶テレビの形状によって底ケースの奥行き方向の厚みを小さくする場合でも対応することができる。
【００５１】
（第３の実施形態）
図１０は、第３の実施形態に係る底ケースを展開した状態の一例を示す図で、図中、８は底ケースを示す。この底ケース８は、第１の実施形態の底ケース１と比べ、収容部の斜面が内側、ロック部の斜面が外側に向いている点が異なる。その他の基本的な構造は第１の実施形態における底ケース１と同様であるが、底ケース８を構成する長辺側板８２の各端部近傍には第１の耳片８２１および第２の耳片８２６が連設されている。なお、ここでは一つの端部の構造についてのみ説明するが、他の端部構造についても同様である。第１の耳片８２１と第２の耳片８２６とは接続部８２２を介して長辺側板８２の端部を囲むように一体的に形成されている。接続部８２２は、予め上に凸の山折り形状にされている。また、接続部８２２、第１の耳片８２１、第２の耳片８２６、および長辺側板８２で囲まれた部分には開口８２３が形成されている。
【００５２】
第１の耳片８２１と長辺側板８２との間には、切り込み８２４が形成されており、第１の耳片８２１を長辺側板８２に対して折り曲げ易くしている。また、第１の耳片８２１を長辺側板８２に対して１８０°折り曲げたときに、第１の耳片８２１の開口８２５ａと、長辺側板８２の開口８２５ｂとが重なり、図１のジョイント部材６を挿通するための挿通孔８２５とされる。
【００５３】
第２の耳片８２６は、長辺側板８２の長手方向に延長された延長片８２６ａと、延長片８２６ａの側方に連設された側方片８２６ｂとからなる。延長片８２６ａは側方片８２６ｂおよび長辺側板８２に連設され、側方片８２６ｂは第１の耳片８２１に接続部８２２を介して連設される。第１の耳片８２１を１８０°折り曲げたときに、これに連動して側方片８２６ｂも延長片８２６ａに対して１８０°折り曲げられる。これにより係合部８２６′が形成される。すなわち、係合部８２６′は、長辺側板８２の長手方向に延長して形成された耳片（第２の耳片８２６に相当）の側方片８２６ｂを曲折して重ね合わせた曲折端部を切り欠いて形成される。この切り欠きは切り欠き８２７に相当する。
【００５４】
底ケース８を組み立てる際の係合部８２６′の基本的な構造は、第１の実施形態で説明した係合部１２６′と同様であるが、係合部８２６′は、短辺側板８３の側端８３１を収容する収容部８２６ｄと、収容部８２６ｄと切り欠き８２７を介して部分的に分離されたロック部８２６ｃとを有する。収容部８２６ｄは、底ケース８を組み立てたときに、断面逆凹形状になるように予め折り線８２９ａ,ｂで所定の形状に折り曲げられている。また、ロック部８２６ｃは、底ケース８を組み立てたときに、断面逆Ｖ字状になるように予め折り線８２８ａ，ｂで所定の形状に折り曲げられている。そして、長辺側板８２および短辺側板８３を曲折する際に、短辺側板８３の側端８３１を第２の耳片８２６の重ね合わせ部（延長片８２６ａと側方片８２６ｂによる重ね合わせ部）に挿し込むことにより、短辺側板８３の突起片８３２が第２の耳片８２６の切り欠き８２７に係合して係止される。
【００５５】
図１１は、第１の実施形態の係合部１２６′と第３の実施形態の係合部８２６′とを比較して説明するための図である。図１１（Ａ）は第１の実施形態における底ケース１の端部近傍の展開状態を示し、図１１（Ｂ）は第１の実施形態における底ケース１の端部近傍の組立状態を示す。また、図１１（Ｃ）は第３の実施形態における底ケース８の端部近傍の展開状態を示し、図１１（Ｄ）は第３の実施形態における底ケース８の端部近傍の組立状態を示す。
【００５６】
図１１（Ａ）および図１１（Ｃ）に示すように、底ケース１と底ケース８では収容部およびロック部に形成される折り線の位置が異なっている。すなわち、図１１（Ａ）の第１の実施形態では、ロック部１２６ｃの折り線１２８ｂが折り線１２８ａよりも外側に位置し、収容部１２６ｄの折り線１２９ｂが折り線１３０ａの延長線上に位置し、折り線１２９ａが折り線１３０ｂよりも内側に位置する。これに対して、図１１（Ｃ）の第３の実施形態では、ロック部８２６ｃの折り線８２８ｂが折り線８２８ａよりも内側に位置し、収容部８２６ｄの折り線８２９ａが折り線８３０ｂの延長線上に位置し、折り線８２９ｂが折り線８３０ａよりも外側に位置する。
【００５７】
上記より、図１１（Ａ）の底ケース１を組み立てると、図１１（Ｂ）に示すように、ロック部１２６ｃの斜面が内側に向けて形成され、収容部１２６ｄの斜面が外側に向けて形成される。また、図１１（Ｃ）の底ケース８を組み立てると、図１１（Ｄ）に示すように、ロック部８２６ｃの斜面が外側に向けて形成され、収容部８２６ｄの斜面が内側に向けて形成される。
【００５８】
図１２は、係合部８２６′を構成する収容部８２６ｄおよびロック部８２６ｃによる係止構造の一例について説明するための図である。図１２（Ａ）に示すように、係合部８２６′の重ね合わせ部Ｓに対して、短辺側板８３の側端８３１を挿し込むと、短辺側板８３の側端８３１が収容部８２６ｄに収容され、短辺側板８３の上端部に形成された突起片８３２がロック部８２６ｃとの間に形成された切り欠き８２７に係合する。図１２（Ａ）のＷＷ断面を図１２（Ｂ）に示す。
【００５９】
図１２（Ｂ）において、断面逆Ｖ字状のロック部８２６ｃは、短辺側板８３と平行な壁面８２６ｃ１と、壁面８２６ｃ１に連設された斜面８２６ｃ２とを有し、短辺側板８３の側端８３１が収容部８２６ｄに収容された状態で短辺側板８３の突起片８３２がロック部８２６ｃとの間に形成された切り欠き８２７に係合する。つまり、短辺側板８３の突起片８３２がロック部８２６ｃの斜面８２６ｃ２により係止される。この係止を解除する場合、ロック部８２６ｃをＺ′方向に押すことで、ロック部８２６ｃの斜面８２６ｃ２と短辺側板８３の突起片８３２との係止が解除される。
【００６０】
また、上記において、収容部８２６ｄは、断面逆凹形状をなし、その上端に斜面８２６ｄ１が形成されている。収容部８２６ｄの斜面８２６ｄ１とロック部８２６ｃの斜面８２６ｃ２とは互いに逆向きに形成されている。本実施形態の場合、ロック部８２６ｃの斜面８２６ｃ２が外側に向けて形成され、収容部８２６ｄの斜面８２６ｄ１が内側に向けて形成されている。ロック部８２６ｃの上端は上箱ケース２を底ケース８に被せるときに上箱ケース２が接触する箇所であるため、ロック部８２６ｃの上端を外向きの斜面にすることで、上箱ケース２の引っ掛かりを防止することができる。
【符号の説明】
【００６１】
１，７，８…底ケース、２，２′…上箱ケース、３，３′…下部緩衝材、４，４′…液晶テレビ、５，５′…上部緩衝材、６，６′…ジョイント部材、１０，１０′…梱包箱、１１，７１，８１…底板、１２，７２，８２…長辺側板、１３，７３，８３…短辺側板、１２１，７２１，８２１…第１の耳片、１２２，７２２，８２２…接続部、１２３，７２３，８２３…開口、１２４，７２４，８２４…切り込み、１２５，７２５，８２５…挿通孔、１２６，７２６，８２６…第２の耳片、１２６′，７２６′，８２６′…係合部、１２６ａ，７２６ａ，８２６ａ…延長片、１２６ｂ，７２６ｂ，８２６ｂ…側方片、１２６ｃ，７２６ｃ，８２６ｃ…ロック部、１２６ｄ，７２６ｄ，８２６ｄ…収容部、１２７，７２７，８２７…切り欠き、１２８ａ，ｂ、１２９ａ，ｂ，７２８ａ，ｂ、７２９ａ，ｂ、８２８ａ，ｂ、８２９ａ，ｂ…折り線。
【図１】
2013170004.tif 000003
【図２】
2013170004.tif 000004
【図３】
2013170004.tif 000005
【図４】
2013170004.tif 000006
【図５】
2013170004.tif 000007
【図６】
2013170004.tif 000008
【図７】
2013170004.tif 000009
【図８】
2013170004.tif 000010
【図９】
2013170004.tif 000011
【図１０】
2013170004.tif 000012
【図１１】
2013170004.tif 000013
【図１２】
2013170004.tif 000014
【図１３】
2013170004.tif 000015
【図１４】
2013170004.tif 000016